(57)【要約】【課題】サーミスタや熱電対を用いずに二次電池の温度を測定できるようにする。【解決手段】実施形態の電池温度測定装置は、抵抗値取得部と、温度算出部と、を備えた。前記抵抗値取得部は、非水電解質二次電池の実際の電気抵抗値を取得する。前記温度算出部は、前記非水電解質二次電池の電気抵抗値と前記非水電解質二次電池の温度との関係を示す情報と、前記抵抗値取得部が取得した前記実際の電気抵抗値と、を用いて、前記非水電解質二次電池の温度を求める。【選択図】図７
2015056225.tif 000002
【特許請求の範囲】
【請求項１】
非水電解質二次電池の実際の電気抵抗値を取得する抵抗値取得部と、
前記非水電解質二次電池の電気抵抗値と前記非水電解質二次電池の温度との関係を示す情報と、前記抵抗値取得部が取得した前記実際の電気抵抗値と、を用いて、前記非水電解質二次電池の温度を求める温度算出部と、
を備えた電池温度測定装置。
【請求項２】
前記抵抗値取得部は、前記電気抵抗値として、直流抵抗値および交流抵抗値を取得し、
前記情報は、前記非水電解質二次電池の直流抵抗値と前記非水電解質二次電池の交流抵抗値との差分値と、前記非水電解質二次電池の温度との関係を示し、
前記温度算出部は、前記情報と、前記抵抗値取得部が取得した前記直流抵抗値と前記抵抗値取得部が取得した前記交流抵抗値との差分値と、を用いて、前記非水電解質二次電池の温度を求める、請求項１に記載の電池温度測定装置。
【請求項３】
前記抵抗値取得部は、前記電気抵抗値として直流抵抗値を取得し、
前記情報は、前記非水電解質二次電池の直流抵抗値と前記非水電解質二次電池の温度との関係を示し、
前記温度算出部は、前記情報と前記抵抗値取得部が取得した前記直流抵抗値とを用いて、前記非水電解質二次電池の温度を求める、請求項１に記載の電池温度測定装置。
【請求項４】
前記非水電解質二次電池の電気に関する物理量を取得する物理量取得部を備え、
前記温度算出部は、前記物理量取得部が取得した前記物理量が規定量の場合に、前記非水電解質二次電池の温度を求め、前記物理量取得部が取得した前記物理量が規定量ではない場合には、前記非水電解質二次電池の温度を求めない、請求項１ないし３のいずれか一項に記載の電池温度測定装置。
【請求項５】
前記温度算出部が求めた温度が閾値を超えた場合には、前記非水電解質二次電池の温度が閾値を超えた旨を示す情報を出力する出力部を備えた請求項１ないし４のいずれか一項に記載の電池温度測定装置。
【請求項６】
請求項１ないし５のいずれか一項に記載の電池温度測定装置と、
前記非水電解質二次電池と、
を備えた二次電池装置。
【請求項７】
抵抗値取得部が、非水電解質二次電池の実際の電気抵抗値を取得するステップと、
温度算出部が、前記非水電解質二次電池の電気抵抗値と前記非水電解質二次電池の温度との関係を示し記憶部に記憶された情報と、前記抵抗値取得部が取得した前記実際の電気抵抗値と、を用いて、前記非水電解質二次電池の温度を求めるステップと、
を含む電池温度測定方法。
【請求項８】
抵抗値取得部が、非水電解質二次電池の実際の電気抵抗値を取得するステップと、
温度算出部が、前記非水電解質二次電池の電気抵抗値と前記非水電解質二次電池の温度との関係を示し記憶部に記憶された情報と、前記抵抗値取得部が取得した前記実際の電気抵抗値と、を用いて、前記非水電解質二次電池の温度を求めるステップと、
をコンピュータに実行させるためのプログラム。
【発明の詳細な説明】
【技術分野】
【０００１】
本発明の実施形態は、電池温度測定装置、二次電池装置、電池温度測定方法およびプログラムに関する。
【背景技術】
【０００２】
従来、リチウムイオン二次電池等の二次電池の温度測定には、一般的に、サーミスタや熱電対が用いられている。
【先行技術文献】
【特許文献】
【０００３】
【特許文献１】特開２０１２−２１２６２８号公報
【発明の概要】
【発明が解決しようとする課題】
【０００４】
この種の二次電池では、サーミスタや熱電対を用いずに二次電池の温度を測定できるようにすることが望まれている。
【課題を解決するための手段】
【０００５】
実施形態の電池温度測定装置は、抵抗値取得部と、温度算出部と、を備えた。前記抵抗値取得部は、非水電解質二次電池の実際の電気抵抗値を取得する。前記温度算出部は、前記非水電解質二次電池の電気抵抗値と前記非水電解質二次電池の温度との関係を示す情報と、前記抵抗値取得部が取得した前記実際の電気抵抗値と、を用いて、前記非水電解質二次電池の温度を求める。
【図面の簡単な説明】
【０００６】
【図１】図１は、第１の実施形態にかかる二次電池装置の一例を示す模式図である。
【図２】図２は、第１の実施形態にかかる組電池監視回路と組電池との接続の一例を示す図である。
【図３】図３は、第１の実施形態にかかる二次電池セルの一例を示す分解斜視図である。
【図４】図４は、第１の実施形態にかかる電池管理装置の機能構成の一例を示すブロック図である。
【図５】図５は、第１の実施形態にかかる二次電池セルにおける電気抵抗値と温度との関係を示したグラフである。
【図６】図６は、第１の実施形態にかかる二次電池セルにおける直流抵抗値と交流抵抗値との差分値と温度との関係を示したグラフである。
【図７】図７は、第１の実施形態にかかる電池管理装置が行う温度測定処理の流れを示すフローチャートである。
【図８】図８は、第２の実施形態にかかる二次電池セルにおける直流抵抗値と温度との関係を示したグラフである。
【発明を実施するための形態】
【０００７】
以下、図面を参照して、実施形態について詳細に説明する。なお、以下の複数の実施形態には、同様の構成要素が含まれている。よって、以下では、それら同様の構成要素には共通の符号を付与するとともに、重複する説明を省略する。
【０００８】
（第１の実施形態）
図１は、本実施形態にかかる二次電池装置１の一例を示す模式図である。図１に示すように、二次電池装置１は、一例として、互いに直列接続された複数の組電池モジュール１０１と、これらの組電池モジュール１０１に接続された電池管理装置（ＢＭＵ：Battery  Management  Unit）６０と、を備えている。電池管理装置６０は、電池温度測定装置の一例である。
【０００９】
二次電池装置１は、種々の装置や、機械、設備等に設置され、それら種々の装置や、機械、設備の電源として使用されうる。例えば、二次電池装置１は、自動車や自転車（移動体）等の電源等、移動型の電源としても使用される他、例えば、ＰＯＳ（point  of  sales）システム用の電源等、定置型の電源としても使用される。
【００１０】
各組電池モジュール１０１は、それぞれ独立して着脱することが可能であり、メンテナンス等において、別の組電池モジュールと交換することができる。本実施形態では、二次電池装置１は、４つの組電池モジュール１０１を直列接続しているが、組電池モジュールの数は４つ以外であってもよい。
【００１１】
電池管理装置６０には、独立した外部電源７０が接続されている。外部電源７０は、例えば、商用電源である。また、外部電源７０は、二次電池装置１が自動車等の車両に搭載される場合には、アクセサリ用等に車両に搭載された鉛蓄電池等の二次電池であってよい。
【００１２】
図２は、本実施形態にかかる組電池監視回路（ＶＴＭ：Voltage  Temperature  Monitoring）と組電池との接続の一例を示す図である。図１および図２に示すように、各組電池モジュール１０１は、組電池１１と、組電池監視回路２１と、を有している。
【００１３】
組電池１１は、一例として、直列接続された複数の二次電池セル（二次電池、単電池）１００１を有する。二次電池セル１００１は、非水電解質二次電池であり、一例としては、リチウムイオン二次電池である。本実施形態では、一例として、二次電池セル１００１は、ＬｉＮｉ１−ｘＭｘＯ２で表せる材料を、正極活物質の一部若しくは全てに用いている。ここで、Ｍは、一例として、Ｃｏ，Ａｌ，Ｍｎ，Ｃｒ，Ｆｅ，Ｎｂ，ＭＧ，Ｂ，Ｆから選ばれる元素の少なくとも一種を含み、Ｘは０〜１の間の所定範囲内の数値である。
【００１４】
組電池監視回路２１は、それぞれコネクタ５１を介して電池管理装置６０と接続されている。また、組電池監視回路２１は、複数の二次電池セル１００１のそれぞれの電圧を検出する電圧検出回路を含む。即ち、組電池監視回路２１は、組電池１１が有する複数の二次電池セル１００１毎の電圧（以後、セル電圧ともいう）を検出する。詳しくは、組電池監視回路２１は、組電池１１が有する二次電池セル１００１それぞれの端子間の電圧をセル電圧として検出する。そして、組電池監視回路２１は、検出した全てのセル電圧を表すセル電圧信号を、コネクタ５１を介して電池管理装置６０に入力する。また、組電池監視回路２１は、各二次電池セル１００１のそれぞれの充電状態（ＳＯＣ：Ｓｔａｔｅ  Ｏｆ  Ｃｈａｒｇｅ）として充電容量（充電率）を検出する回路を含む。即ち、組電池監視回路２１は、組電池１１が有する複数の二次電池セル１００１毎の充電容量を検出する。そして、組電池監視回路２１は、検出した全ての二次電池セルの充電容量を表す充電容量信号を、コネクタ５１を介して電池管理装置６０に入力する。
【００１５】
図３は、本実施形態にかかる二次電池セル１００１の一例を示す分解斜視図である。図３に示すように、本実施形態では、一例として、二次電池セル１００１は、容器１００２と、容器１００２内に設けられた電極体１００３と、蓋体１００２ｂに設けられた一対の正極端子１００４および負極端子１００５と、電極体１００３の正極と正極端子１００４とを電気的に接続する正極リード１００６と、電極体１００３の負極と負極端子１００５とを電気的に接続する負極リード１００７と、を備えている。
【００１６】
容器１００２は、扁平な直方体形状の外装容器（筺体）であり、例えば、アルミニウムやアルミニウム合金、ステンレスなどの金属材料により形成されている。この容器１００２は、一端が開口した容器本体１００２ａと、この容器本体１００２ａの開口を塞ぐ矩形板状の蓋体１００２ｂとを有している。容器１００２は、蓋体１００２ｂと容器本体１００２ａとが溶接されて気密および液密に形成されている。なお、容器本体１００２ａの内面には、容器本体１００２ａと、正極リード１００６および負極リード１００７との絶縁のために絶縁層（例えば、絶縁シートなど）が設けられている。
【００１７】
また、蓋体１００２ｂには、例えば矩形状の圧力開放弁１００２ｂ１がその蓋体１００２ｂの中央部に位置付けられて設けられている。この圧力開放弁１００２ｂ１には、その圧力開放弁１００２ｂ１が所定値以上の圧力を受けると開状態となるように溝が形成されている。したがって、圧力開放弁１００２ｂ１は、容器１００２内に発生したガスによって、容器１００２の内圧が所定値以上に上昇した場合、開状態となって容器１００２内のガスを排出し、容器１００２の内圧を下げる。なお、圧力開放弁１００２ｂ１の位置は蓋体１００２ｂの中央に限定されるものではなく、その中央以外の箇所でも良く、また、溝の深さや形状、さらに、圧力開放弁１００２ｂ１の面積も開放させたい圧力に応じて適宜変更可能である。
【００１８】
また、蓋体１００２ｂには、容器１００２内に電解液を注液するための注液口１００２ｂ２が設けられている。この注液口１００２ｂ２は貫通孔であり、例えば円形状に形成されている。なお、電解液は二次電池セル１００１の組み立て後に注液口１００２ｂ２から容器１００２内に所定量（例えば、容器１００２内の電極体１００３が電解液により十分に浸される量）だけ注入される。その後、注液口１００２ｂ２は溶接などにより封止される。なお、注液口１００２ｂ２の位置や形状、大きさは、必要に応じて適宜変更可能である。
【００１９】
電極体１００３は、表面が正極活物質により被膜されている正極集電体（正極）と表面が負極活物質により被膜されている負極集電体（負極）とがセパレータを介して巻回されて扁平形状に形成されている。この電極体１００３は、電極群であって発電要素として機能し、その電極体１００３における巻回軸方向の両端部の一方が正極集電タブ１００３ａとして機能し、その他方が負極集電タブ１００３ｂとして機能する。なお、正極集電体や負極集電体としては、例えば、金属箔などを用いることが可能である。
【００２０】
正極端子１００４は、蓋体１００２ｂの長手方向の一端部に設けられており、負極端子１００５は、蓋体１００２ｂの長手方向の他端部に設けられている。これらの正極端子１００４および負極端子１００５は、電極体１００３の巻回軸方向に圧力開放弁１００２ｂ１および注液口１００２ｂ２を間にして並んでおり、金属などの導電性を有する材料により形成されている。正極端子１００４は、蓋体１００２ｂを貫通して延伸しており、正極リード１００６に接合されている。同様に、負極端子１００５も、蓋体１００２ｂを貫通して延伸しており、負極リード１００７に接合されている。
【００２１】
正極端子１００４と蓋体１００２ｂとの間には、合成樹脂やガラスなどの絶縁体から構成された正極シール材１００４ａ（ガスケット）が設けられている。同様に、負極端子１００５と蓋体１００２ｂとの間にも、合成樹脂やガラスなどの絶縁体から構成された負極シール材１００５ａ（ガスケット）が設けられている。これらの正極シール材１００４ａおよび負極シール材１００５ａは、正極端子１００４および負極端子１００５と容器１００２との間を気密および液密にシールすると共に電気的に絶縁している。
【００２２】
正極リード１００６は、金属などの導電性を有する材料により形成されており、正極バックアップリード１００９を介して電極体１００３の正極集電タブ１００３ａと正極端子１００４とを電気的に接続するリード部である。正極バックアップリード１００９は、金属などの導電性を有する材料により形成されており、電極体１００３の正極集電タブ１００３ａを束ねるリード部である。正極リード１００６は、容器１００２の天井面（蓋体１００２ｂの裏面）からその側面（容器本体１００２ａの側面）に沿って延伸し、正極バックアップリード１００９および正極集電タブ１００３ａを挟み込む形状に形成されている。この正極リード１００６の電極体１００３側の端部、すなわち正極リード１００６の一対の脚部の端部が正極バックアップリード１００９に超音波溶接により接合されている。なお、正極リード１００６の蓋体１００２ｂ側の端部には、正極端子穴１００６ａが形成されており、その正極端子穴１００６ａに正極端子１００４は嵌められて正極リード１００６に接合されている。
【００２３】
負極リード１００７は、金属などの導電性を有する材料により形成されており、負極バックアップリード１０１０を介して電極体１００３の負極集電タブ１００３ｂと負極端子１００５とを電気的に接続するリード部である。負極バックアップリード１０１０は、金属などの導電性を有する材料により形成されており、電極体１００３の負極集電タブ１００３ｂを束ねるリード部である。負極リード１００７は、容器１００２の天井面（蓋体１００２ｂの裏面）からその側面（容器本体１００２ａの側面）に沿って延伸し、負極バックアップリード１０１０および負極集電タブ１００３ｂを挟み込む形状に形成されている。この負極リード１００７の電極体１００３側の端部、すなわち負極リード１００７の一対の脚部の端部が負極バックアップリード１０１０に超音波溶接により接合されている。なお、負極リード１００７の蓋体１００２ｂ側の端部には、負極端子穴１００７ａが形成されており、その負極端子穴１００７ａに負極端子１００５は嵌められて負極リード１００７に接合されている。
【００２４】
図４は、本実施形態にかかる電池管理装置６０の機能構成の一例を示すブロック図である。図４に示すように、電池管理装置６０は、物理量取得部６０１と、抵抗値取得部６０２と、温度算出部６０３と、温度算出用情報記憶部６０４と、出力部６０５と、を備えている。本実形態では、電池管理装置６０は、一例として、制御部と記憶部とを有しており、制御部が記憶部に記憶されたプログラムを実行することにより、物理量取得部６０１、抵抗値取得部６０２、温度算出部６０３、および出力部６０５として機能（動作）する。また、温度算出用情報記憶部６０４は、記憶部の一部の記憶領域によって構成される。制御部は、例えば、ＭＰＵ（Micro  Processing  Unit）等によって構成されうる。また、記憶部は、ＲＯＭ（Read  Only  Memory）やＥＥＰＲＯＭ（Electronically  Erasable  and  Programmable  Read  Only  Memory）、ＲＡＭ（Random  Access  Memory）等を有して構成されうる。なお、電池管理装置６０のハードウエアの構成はあくまで一例であって、例えばチップやパッケージにする等、種々に変形して実施することが可能である。また、電池管理装置６０には、各組電池１１（二次電池セル１００１）に直流電流や交流電流を流すための電源供給回路が設けられている。また、電池管理装置６０には、直列接続された複数の組電池１１（二次電池セル１００１）に流れる電流を検出する電流検出回路６１０が設けられている。
【００２５】
ここで、図５は、本実施形態にかかる二次電池セル１００１における電気抵抗値と温度との関係を示したグラフである。詳細には、図５は、所定の状態の二次電池セル１００１に所定の直流電流を流したときの直流抵抗と温度との関係を計測した結果、および所定の状態の二次電池セル１００１に所定の交流電流を流したときの交流抵抗値と温度との関係を計測した結果を示している。この図５に示す結果から、二次電池セル１００１に直流電流を流したときの直流抵抗値と、二次電池セル１００１に交流電流を流したときの交流抵抗値とは、それぞれ二次電池セル１００１の温度が高い程、低くなることが分かる。また、図５から、二次電池セル１００１における直流抵抗と交流抵抗とでは、二次電池セル１００１の温度上昇に応じた抵抗値の低下率が異なることも分かる。即ち、直流電流を流したときの直流抵抗と温度との関係を近似した近似線と、交流電流を流したときの交流抵抗値と温度の関係を近似した近似線とは、傾きが異なるものとなる。
【００２６】
上記の傾向から、実際の二次電池セル１００１の電気抵抗値が分かれば、上記関係に基づいて、二次電池セル１００１の温度を算出（推定）することができる。但し、直流抵抗値と温度との関係および交流抵抗値と温度との関係は、二次電池セル１００１の個体間に差（個体差）がある。このような個体差の原因の一つとしては、例えば、正極リード１００６や負極端子１００５等の部品の寸法ばらつきがある。したがって、各二次電池セル１００１に対して、例えば、基準としてのある一つの二次電池セル１００１の直流抵抗値と温度との関係に基づいて、他の二次電池セル１００１の温度を算出すると、算出結果に上記個体差の影響が入りやすい。そこで、本実施形態では、図６に示すように、二次電池セル１００１の直流抵抗値と二次電池セル１００１の交流抵抗値との差分値（差分抵抗値）と温度との関係を求め、この関係に基づいて、二次電池セル１００１の温度を算出（推定）して、一つの基準とすることで、二次電池セル１００１の個体差の影響を抑制する。なお、二次電池セル１００１の直流抵抗値と二次電池セル１００１の交流抵抗値との差分値と温度との関係は、ある一つの二次電池セル１００１のものであってよいし、複数の二次電池セル１００１の平均であってもよい。
【００２７】
本実施形態では、電池管理装置６０の制御部は、上記の二次電池セル１００１の電気抵抗値と温度との関係を用いて二次電池セル１００１の温度を計測する電池温度算出処理（電池温度算出方法）を実行する。この電池温度算出処理において、電池管理装置６０の制御部は、物理量取得部６０１と、抵抗値取得部６０２と、温度算出部（温度推定部）６０３と、出力部６０５として機能し、温度算出用情報記憶部６０４に記憶された情報を用いて、二次電池セル１００１の温度を計測する。
【００２８】
温度算出用情報記憶部６０４（記憶部）は、二次電池セル１００１の電気抵抗値と二次電池セル１００１の温度との関係を示した温度算出用情報（情報）を予め記憶している。詳細には、本実施形態では、温度算出用情報は、二次電池セル１００１の直流抵抗値と二次電池セル１００１の交流抵抗値との差分値と、二次電池セルの温度との関係を示す情報である。本実施形態では、温度算出用情報記憶部６０４に記憶された温度算出用情報は、一例として、図６に示す二次電池セル１００１の直流抵抗値と交流抵抗値との差分値と、二次電池セル１００１の温度との関係を表す温度算出用の数式である。この数式は、一例として、直流抵抗値と交流抵抗値との差分値と温度との関係を近似した近似式であってよい。なお、温度算出用の数式は、プログラムに予め組み込まれて記憶部に記憶されていてもよいし、プログラムとは別に記憶部に記憶されていてもよい。また、温度算出用情報は、一例として、図６で示す直流抵抗と交流抵抗との差分値毎の温度を示すデータであってもよい。なお、温度算出用情報は、一例として、二次電池装置１の工場出荷前に、温度算出用情報記憶部６０４に記憶される。
【００２９】
物理量取得部６０１は、二次電池セル１００１の電気に関する物理量を取得する。詳細には、本実施形態では、物理量取得部６０１は、二次電池セル１００１の状態判定用の物理量として、各組電池監視回路２１から、各二次電池セル１００１の充電容量および電圧値を受信（取得）する。また、物理量取得部６０１は、二次電池セル１００１の抵抗値算出用の物理量として、組電池１１（二次電池セル１００１）に、所定の直流電流および所定の交流電流を流し、このときの各二次電池セル１００１の直流電圧値および交流電圧値を、各組電池監視回路２１から受信（取得）する。この際、直流電流および交流電流は、別々に流しても良いし、直流電流に交流電流を重畳させてもよい。ここで、直流電流と交流電流は、一例として、外部電源７０から供給される。外部電源７０から供給される直流電流または交流電流を、交流電流または直流電流に変換する場合には、電力変換装置（図示せず）が用いられる。なお、例えば、二次電池装置１に接続される負荷が、モータである場合、モータによる回生エネルギーによる交流電流と、該交流電流を変換した直流電流とを組電池１１に流してもよい。また、組電池監視回路２１から送信される二次電池セル１００１の電気に関する物理量（直流電圧、交流電圧、充電状態）には、一例として、対応する二次電池セル１００１の識別情報が付加されうる。
【００３０】
抵抗値取得部６０２は、各二次電池セル１００１の実際の電気抵抗値を取得する。本実施形態では、抵抗値取得部６０２は、二次電池セル１００１の実際の電気抵抗値として、直流抵抗値および交流抵抗値を取得する。二次電池セル１００１の直流抵抗値は、物理量取得部６０１が取得した、直流電流を流した際の二次電池セル１００１の直流電圧と、流した直流電流の電流値と、を用いて算出される。また、二次電池セル１００１の交流抵抗値は、物理量取得部６０１が取得した、交流電流を流した際の二次電池セル１００１の交流電圧と、流した交流電流の電流値と、を用いて算出される。なお、別例として、電池監視回路２１が二次電池セル１００１の実際の電気抵抗値を算出して電池管理装置６０に送信し、抵抗値取得部６０２が送信された二次電池セル１００１の実際の電気抵抗値を受信（取得）してもよい。
【００３１】
温度算出部６０３は、温度算出用情報記憶部６０４に記憶された温度算出用情報と、抵抗値取得部６０２が取得した二次電池セル１００１の実際の電気抵抗値と、を用いて、各二次電池セル１００１の温度を求める。詳細には、温度算出用情報記憶部６０４に記憶された温度算出用情報としての温度算出用の数式に、二次電池セル１００１の実際の電気抵抗値を当てはめて、二次電池セル１００１の温度を算出する。即ち、本実施形態では、温度算出部６０３は、温度算出用情報と、抵抗値取得部６０２が取得した二次電池セル１００１の直流抵抗値と抵抗値取得部６０２が取得した二次電池セル１００１の交流抵抗値との差分値と、を用いて、二次電池セル１００１の温度を求める。
【００３２】
また、本実施形態では、一例として、温度算出部６０３は、二次電池セル１００１が所定の状態の場合には温度を算出するが、二次電池セル１００１がその所定の状態ではない場合には、温度を算出しない。詳細には、温度算出部６０３は、物理量取得部６０１が取得した二次電池セル１００１の物理量が規定量の場合に、二次電池セル１００１の温度を求め、物理量取得部６０１が取得した二次電池セル１００１の物理量が規定量ではない場合には、二次電池セル１００１の温度を求めない。一例として、温度算出部６０３は、二次電池セル１００１の充電容量（充電率）が所定範囲内である場合に、二次電池セル１００１の温度を求め、該充電容量が所定範囲内にない場合には、二次電池セル１００１の温度を求めない。上記の充電容量の所定範囲は、例えば０％よりも大きい第１充電率の充電容量から、第１充電率よりも大きい第２充電率の充電容量の間であってよい。また、一例として、温度算出部６０３は、二次電池セル１００１の電圧が所定範囲内である場合に、二次電池セル１００１の温度を求め、該電圧が所定範囲内にない場合には、二次電池セル１００１の温度を求めない。上記の電圧の所定範囲は、例えば０よりも大きい第１電圧値と、第１電圧値よりも大きい第２電圧値との間であってよい。このように、温度算出に条件を設けるのは、上記の温度算出用情報は、二次電池セル１００１が所定の状態の場合により有効であり、温度算出精度が高くなるからである。
【００３３】
出力部６０５は、温度算出部６０３が求めた温度が閾値を超えた場合には、二次電池セル１００１の温度が閾値を超えた旨を示す警報情報（情報、信号）を出力する。本実施形態では、一例として、出力部６０５は、警報器８０に対して警報情報を出力する。警報器８０は、例えば、表示装置や音声出力装置等であり、警報情報が入力されると、温度が閾値を超えた旨を示す警報を表示出力や音声出力する。即ち、本実施形態では、出力部６０５は、温度算出部６０３が求めた温度が閾値を超えた場合には、二次電池セル１００１の温度が閾値を超えた旨を示す警報を、警報器８０に出力させる。
【００３４】
図７は、本実施形態にかかる電池管理装置６０が行う温度測定処理の流れを示すフローチャートである。図７に基づいて、電池管理装置６０が実行する温度測定処理の流れを説明する。温度測定処理では、まず、物理量取得部６０１が、二次電池セル１００１の状態判定用の物理量として、各二次電池セル１００１の充電容量および電圧を各組電池監視回路２１から受信（取得）する（ステップＳ１）。
【００３５】
次に、電池管理装置６０の制御部は、一例として、ステップＳ２〜ステップＳ８の処理を各二次電池セル１００１毎に行う。
【００３６】
ステップＳ２では、温度算出部６０３が、物理量取得部６０１が取得した二次電池セル１００１が規定状態か、即ち、二次電池セル１００１の充電容量と電圧とが規定範囲内か否かを判定する。二次電池セル１００１の充電容量と電圧との両方が規定範囲内である場合には（ステップＳ２のＹｅｓ）、ステップＳ３に進む。一方、二次電池セル１００１の充電容量と電圧との少なくとも一方が規定範囲外である場合には（ステップＳ２のＮｏ）、該二次電池セル１００１の温度計測を行わずに、ステップＳ８に進む。
【００３７】
ステップＳ３では、物理量取得部６０１が、各二次電池セル１００１の抵抗値算出用の物理量として、所定の直流電流を流した際の二次電池セル１００１の直流電圧値を各組電池監視回路２１から取得（受信）するとともに、所定の交流電流を流した際の各二次電池セル１００１の交流電圧値を各組電池監視回路２１から取得（受信）する。
【００３８】
次に、抵抗値取得部６０２が、ステップＳ３で取得された二次電池セル１００１の直流電圧値と交流電圧値とを用いて、二次電池セル１００１の実際の電気抵抗値（直流抵抗値および交流抵抗値）を算出する（ステップＳ４）。
【００３９】
次に、温度算出部６０３が、温度算出用情報記憶部６０４に記憶された温度算出用情報と、抵抗値取得部６０２が算出した二次電池セル１００１の実際の電気抵抗値（直流抵抗値、交流抵抗値）と、を用いて、各二次電池セル１００１の温度を算出する（ステップＳ５）。
【００４０】
次に、出力部６０５が、温度算出部６０３が求めた温度が閾値以下か否か、即ち二次電池セル１００１の温度が正常か否かを判定し、温度算出部６０３が求めた温度が閾値以下（正常）の場合には（ステップＳ６のＹｅｓ）、警報を出すことなく、ステップＳ８に進む。一方、温度算出部６０３が求めた温度が閾値以下（異常）の場合には（ステップＳ６のＮｏ）、温度算出部６０３は、二次電池セル１００１の温度が閾値を超えた旨を示す警報情報（温度異常警報）を出力し（ステップＳ７）、ステップＳ８に進む。
【００４１】
電池管理装置６０の制御部は、全ての二次電池セル１００１に対する処理が完了するまで、ステップＳ２以降の処理を繰り返す（ステップＳ８のＮｏ）。そして、電池管理装置６０の制御部は、全ての全ての二次電池セル１００１に対する処理が完了すると（ステップＳ８のＹｅｓ）、処理を終了する。
【００４２】
以上説明したとおり、本実施形態では、抵抗値取得部６０２が、二次電池セル１００１の実際の電気抵抗値を取得し、温度算出部６０３が、二次電池セル１００１の電気抵抗値と二次電池セル１００１の温度との関係を示す温度算出用情報と、抵抗値取得部６０２が取得した二次電池セル１００１の実際の電気抵抗値と、を用いて、二次電池セル１００１の温度を求める。したがって、本実施形態によれば、サーミスタや熱電対を用いずに二次電池セル１００１の温度を測定することができる。よって、二次電池装置１を比較的簡素な構成とすることができる。
【００４３】
また、本実施形態では、抵抗値取得部６０２は、二次電池セル１００１の電気抵抗値として、二次電池セル１００１の直流抵抗値および交流抵抗値を取得する。また、温度算出用情報は、二次電池セル１００１の直流抵抗値と二次電池セル１００１の交流抵抗値との差分値と、二次電池セル１００１の温度との関係を示す。また、温度算出部６０３は、温度算出用情報と、抵抗値取得部６０２が取得した直流抵抗値と抵抗値取得部６０２が取得した交流抵抗値との差分値と、を用いて、二次電池セル１００１の温度を求める。したがって、本実施形態によれば、直流抵抗値と温度との関係および交流抵抗値と温度との関係についての二次電池セル１００１の個体差の影響を抑制しつつ、一つの基準によって複数の二次電池セル１００１の温度を算出することができる。
【００４４】
また、本実施形態では、出力部６０５は、温度算出部６０３が求めた温度が閾値を超えた場合には、二次電池セル１００１の温度が閾値を超えた旨を示す情報を出力する。したがって、本実施形態によれば、一例として、二次電池セル１００１の温度が閾値を超えた旨を使用者に報知することができる。
【００４５】
（第２の実施形態）
本実施形態は、二次電池セル１００１の交流抵抗値を用いずに、二次電池セル１００１の直流抵抗値と温度との関係を用いて二次電池セル１００１の温度を計測する点が、第１の実施形態と異なる。
【００４６】
本実施形態では、温度算出用情報記憶部６０４に記憶された温度算出用情報（情報）は、二次電池セル１００１の直流抵抗値と二次電池セル１００１の温度との関係を示す。ここで、図８は、本実施形態にかかる二次電池セル１００１における直流抵抗値と温度との関係を示したグラフである。温度算出用情報は、一例として、図８に示す二次電池セル１００１の直流抵抗値と、二次電池セル１００１の温度との関係を表す温度算出用の数式である。この数式は、一例として、直流抵抗値と温度との関係を近似した近似式であってよい。この温度算出用情報は、各二次電池セル１００１毎の、直流抵抗値と温度との関係を示す情報を含む。
【００４７】
ここで、第１の実施形態で説明したように、直流抵抗値と温度との関係は、二次電池セル１００１の個体間に差がある。一方、二次電池セル１００１の温度上昇に応じた抵抗値の低下率、即ち図８の近似線の傾きは、二次電池セル１００１の個体間の差は略無く、二次電池セル１００１同士で略同じである。即ち、温度をｘ、直流抵抗をｙ、近似線の傾きをａとし場合、温度算出用の数式（近似式）は、ｙ＝ａｘ＋ｃとなるが、ｙは二次電池セル１００１同士で略同である一方、ｃは、二次電池セル１００１毎に異なる場合がある。つまり、ある二次電池の温度算出用の数式による近似線は、図８の実線で示す近似線となり、別のある二次電池の温度算出用の数式による近似線は、図８の一点鎖線で示す近似線となる場合がある。上記式のｃは、二次電池セル１００１のある温度での直流抵抗値を一点計測することで求まる。したがって、本実施形態では、一例として、工場出荷前に、各二次電池セル１００１においてある温度での直流抵抗値を一つ求めて、温度算出用の数式を各二次電池セル１００１毎に取得し、上記の式を二次電池セル１００１の識別情報と関連付けして温度算出用情報記憶部６０４に記憶している。
【００４８】
本実施形態では、電池管理装置６０の制御部は、上記の二次電池セル１００１の直流抵抗値と温度との関係を用いて二次電池セル１００１の温度を計測する。この際、本実施形態では、物理量取得部６０１は、交流電流値は取得せず、直流電流値を取得し、抵抗値取得部６０２は、電気抵抗値として直流抵抗値を取得する。
【００４９】
そして、温度算出部６０３は、温度算出用情報（温度算出用の数式）と抵抗値取得部６０２が取得した直流抵抗値とを用いて、二次電池セル１００１の温度を求める。詳細には、温度算出用情報記憶部６０４に記憶された温度算出用情報としての温度算出用の数式に、二次電池セル１００１の実際の直流抵抗値を当てはめて、二次電池セル１００１の温度を算出する。なお、温度測定処理のその他の部分は、第１の実施形態と同様であるので説明を省略する。
【００５０】
以上説明したとおり、本実施形態では、抵抗値取得部６０２は、二次電池セル１００１の電気抵抗値として直流抵抗値を取得する。また、温度算出用情報は、二次電池セル１００１の直流抵抗値と二次電池セル１００１の温度との関係を示す。また、温度算出部６０３は、温度算出用情報と抵抗値取得部６０２が取得した直流抵抗値とを用いて、二次電池セル１００１の温度を求める。したがって、本実施形態によれば、交流抵抗値を求めることなく、二次電池セル１００１の温度を算出することができる。
【００５１】
以上のとおり、上記各実施形態によれば、サーミスタや熱電対を用いずに二次電池セル１００１の温度を測定することができる。
【００５２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５３】
例えば、上記実施形態では、複数の組電池１１や複数の二次電池セル１００１が直列接続された例を示したが、これらは並列接続されていてもよい。この場合、各二次電池セル１００１毎の電流値を検出する電流検出回路を設けて、検出した電流値を用いて二次電池セル１００１の電気抵抗値を求めることができる。
【００５４】
また、電池温度測定装置は、電池管理装置６０に限るものではなく、電池管理装置６０とは別の情報処理装置やサーバ等であってもよい。
【符号の説明】
【００５５】
１…二次電池装置、６０…電池管理装置、６０１…物理量取得部、６０２…抵抗値取得部、６０３…温度算出部、６０５…出力部、１００１…二次電池セル（非水電解質二次電池）。
【図１】
2015056225.tif 000003
【図２】
2015056225.tif 000004
【図３】
2015056225.tif 000005
【図４】
2015056225.tif 000006
【図５】
2015056225.tif 000007
【図６】
2015056225.tif 000008
【図７】
2015056225.tif 000009
【図８】
2015056225.tif 000010